(57)【要約】【課題】本発明は、ロック動作の忘れを確実に防止し、操作性の高いロック付き飲料用容器の栓体を提供する。【解決手段】ロック機構は、栓本体の他端側の外壁面に設けられた支持片と、接合軸により支持片の外側面に回動可能に軸支されるロック部材とが設けられ、ロック部材は左右のアーム部と、アーム部を連結する連結部とを有しており、蓋体の他端側の外壁面に連結部と嵌合されるロック受部が設けられ、一方のアーム部の内側面と、支持片の外側面との間に回動可能なロック誘導材が配置されている。【選択図】図５
2017036058.tif 000002
【特許請求の範囲】
【請求項１】
飲料用容器本体の上部開口部に着脱可能に装着される栓本体と、前記栓本体の一端にヒンジにより軸支され、前記栓本体の前記上部開口部を開閉自在に開閉する蓋体と、前記栓本体の他端で前記蓋体を閉状態に保持するロック機構を備えたロック付き飲料用容器の栓体において、
前記ロック機構は、
前記栓本体の他端側の外壁面に設けられた支持片と、前記ヒンジと平行に配置された接合軸により前記支持片の外側面に回動可能に軸支されるロック部材とが設けられ、前記ロック部材は左右のアーム部と、当該アーム部を連結する連結部とを有しており、
前記蓋体の他端側の外壁面に、前記連結部と嵌合されるロック受部が設けられ、
少なくとも一方の前記アーム部の内側面と、前記支持片の外側面との間に、前記接合軸により軸支されて回動可能なロック誘導材が配置されていることを特徴とするロック付き飲料用容器の栓体。
【請求項２】
前記ロック誘導材は、外側面に設けられたカム受部が、一方の前記アーム部の内側面に設けられたカム部と離脱可能に嵌合されて両者が連動して回動可能に構成されており、
前記蓋体を閉める際、前記蓋体の前記ロック受部が、開方向に回動している前記ロック部材に連動して開方向へ移動した前記ロック誘導材を押し下げることで、前記ロック誘導材に連動して前記ロック部材が回動して前記連結部を前記ロック受部へ嵌合させることを特徴とする請求項１に記載のロック付き飲料用容器の栓体。
【請求項３】
前記ロック誘導材は、
前記カム受部と摺動面部とを有する基部と、基部から栓本体の内方に向かって延在する突起部とを有し、前記栓本体の他端側の上縁部には、前記ロック誘導材の突起部を収納可能な切欠き部を有しており、当該切欠き部に収納された前記突起部の直上位置に前記ロック受部が配置されていることを特徴とする請求項２に記載のロック付き飲料用容器の栓体。
【請求項４】
前記ロック誘導材は、前記接合軸に取付けられた捻じりばねと連結されており、当該捻じりばねは前記ロック誘導材に対して開方向への付勢力を付与していることを特徴とする請求項１〜３の何れか一項に記載のロック付き飲料用容器の栓体。
【請求項５】
前記捻じりばねが有するトルク力は、一方のアーム部のカム部と前記ロック誘導材の摺動面部とが有する摺動トルクより大きいことを特徴とする請求項４に記載のロック付き飲料用容器の栓体。
【請求項６】
他方の前記アーム部の内側面に設けられたカム部は、前記支持片の外側面に設けられたカム受部と離脱可能に嵌合される構成を有しており、
一方の前記アーム部の前記カム部と前記ロック誘導材の前記カム受部とが有する脱出トルクは、他方の前記アーム部の前記カム部と前記支持片の前記カム受部とが有する脱出トルクより大きいことを特徴とする請求項１に記載のロック付き飲料用容器の栓体。
【請求項７】
前記蓋体を開放する際、前記ロック誘導材が前記ロック受部に押し下げられる位置で、一方の前記アーム部の前記カム部と前記ロック誘導材の前記カム受部とが嵌合されるように、他方の前記アーム部の前記カム部と前記支持片の前記カム受部の形状と位置が決定されていることを特徴とする請求項２に記載のロック付き飲料用容器の栓体。
【発明の詳細な説明】
【技術分野】
【０００１】
本発明は、ロック付き飲料用容器の栓体に関する。
【背景技術】
【０００２】
従来、容器本体の上部開口に装着される栓本体と、該栓本体にヒンジにて開閉可能に連結される蓋体とを備え、前記ヒンジと反対側に蓋体の閉状態を保持するロック機構を備えたロック付き飲料用容器が知られている。ロック機構は、少なくとも下側を押圧して回動させることで蓋体の係合片との係合を解除する開閉ボタンと、栓本体に回動自在に設けられ、先端が蓋体のロック受部と係合して蓋体をロックする略Ｕ字形状のロック部材とを備えている（例えば、特許文献１、２参照）。
【先行技術文献】
【特許文献】
【０００３】
【特許文献１】特開２０１３−１０７６７９号公報
【特許文献２】特開２０１３−７１７４５号公報
【発明の概要】
【発明が解決しようとする課題】
【０００４】
しかし、上記した飲料用容器の栓体は、以下のような課題点がある。
【０００５】
上記構成の飲料用容器の蓋体を開放して使用した後、利用者には２つの動作が求められている。即ち、蓋体を閉める閉動作と、ロック部材を回動させて蓋体のロック受部と係合するロック動作である。特にロック動作は、不用意に蓋体が空いてしまうことを防止する為に大切な動作である。
【０００６】
しかし、閉動作とロック動作は別々に行う必要があるため、ロック動作を忘れてしまい不用意に蓋体を開放させて容器内の液体をこぼしてしまう虞がある。
【０００７】
また、閉動作は比較的簡単な動作であるが、ロック動作はロック部材を上方へ回動させる必要があり、手の不自由な人にとっては操作性が悪い。
【０００８】
本発明の一つの実施形態の目的は、上記課題点を鑑みてなされたものであり、ロック動作の忘れを確実に防止し、操作性の高いロック付き飲料用容器の栓体を提供することにある。
【課題を解決するための手段】
【０００９】
上記の課題は、
飲料用容器本体の上部開口部に着脱可能に装着される栓本体と、前記栓本体の一端にヒンジにより軸支され、前記栓本体の前記上部開口部を開閉自在に開閉する蓋体と、前記栓本体の他端で前記蓋体を閉状態に保持するロック機構を備えたロック付き飲料用容器の栓体において、
前記ロック機構は、
前記栓本体の他端側の外壁面に設けられた支持片と、前記ヒンジと平行に配置された接合軸により前記支持片の外側面に回動可能に軸支されるロック部材とが設けられ、前記ロック部材は左右のアーム部と、当該アーム部を連結する連結部とを有しており、
前記蓋体の他端側の外壁面に、前記連結部と嵌合されるロック受部が設けられ、
少なくとも一方の前記アーム部の内側面と、前記支持片の外側面との間に、前記接合軸により軸支されて回動可能なロック誘導材が配置されていることを特徴とするロック付き飲料用容器の栓体により解決できる。
【発明の効果】
【００１０】
本発明によれば、閉動作のみで蓋体のロックを可能にして、ロック動作の忘れを確実に防止し、操作性の高いロック付き飲料用容器の栓体を提供できる。
【図面の簡単な説明】
【００１１】
【図１】本発明の実施形態に係るロック付き飲料用容器の栓体の使用状態の一例を示す全体斜視図である。
【図２】本発明の実施形態に係るロック付き飲料用容器の栓体の使用状態の一例を示す断面図である。
【図３】本発明の実施形態に係るロック付き飲料用容器の栓体の分解斜視図である。
【図４】本発明の実施形態に係るロック付き飲料用容器の栓体の分解斜視図である。
【図５】ロック機構の一部拡大斜視図である。
【図６】（Ａ）〜（Ｅ）は、本発明の実施形態に係るロック付き飲料用容器の栓体の動作を説明するための斜視図である。
【図７】（Ａ）〜（Ｅ）は、本発明の実施形態に係るロック付き飲料用容器の栓体の動作を説明するための図６（Ａ）の一側から見たＩＩ−ＩＩ矢視断面図である。
【図８】（Ａ）〜（Ｅ）は、本発明の実施形態に係るロック付き飲料用容器の栓体の動作を説明するための図６（Ａ）の他側から見たＩＩＩ−ＩＩＩ矢視断面図である。
【発明を実施するための形態】
【００１２】
次に、本発明に係るロック付き飲料用容器の栓体の実施形態を説明する。各図面中、同一又は相当する部分には同一の符号を付しており、その重複説明は適宜簡略化ないし省略する。図面は、部材もしくは部品間の相対比を示すことを目的としない。したがって、具体的な寸法は、以下の限定的でない実施形態に照らし、当業者により決定することができる。以下、ロック付き飲料用容器の栓体を携帯型の飲料用魔法瓶に適用した例を示すが、この限りではなく、通例使用される飲料用容器においても同様に実施できる。
【００１３】
図１〜図５に基づいて本実施形態に係るロック付き飲料用容器の栓体の構成を説明する。
図１は、ロック付き飲料用容器の栓体の使用状態の一例を示す全体斜視図である。図２は、ロック付き飲料用容器の栓体の使用状態の一例を示す断面図であり、図１のＩ−Ｉ矢視断面図である。図３、図４は、ロック付き飲料用容器の栓体の分解斜視図である。図３は、図１の矢印Ｘ１側から見た分解斜視図であり、図４は図１の矢印Ｘ２側から見た分解斜視図である。図５はロック付き飲料用容器の蓋体を構成するロック機構の一部拡大斜視図である。（Ａ）は図１の矢印Ｘ１側から見た斜視図であり、（Ｂ）は図１の矢印Ｘ２側から見た斜視図である。
【００１４】
携帯型の飲料用魔法瓶１（以下、単に飲料用容器１という）は、片手で持てる大きさの金属製の容器本体２と、該容器本体２の上部開口部である開口端部２Ａに被着される合成樹脂製の栓体３とを備えている。容器本体２は、断熱二重構造で、上部外周には、栓体３を螺着するための雄螺子（不図示）が形成されている。
【００１５】
本実施形態に係るロック付き飲料用容器の栓体３は、容器本体２の上部開口部２Ａに着脱可能に装着される栓本体４と、栓本体４の一端（矢印Ｚ１側）にヒンジ５４により軸支され、栓本体４の上部開口部を開閉自在に開閉する蓋体５と、栓本体４の他端（矢印Ｚ２側）で蓋体５を閉状態に保持するロック機構７を有している。
【００１６】
栓本体４は、一側（矢印Ｚ１側）箇所においてヒンジ５４を介して蓋体５が回動自在に結合されている。即ち、栓本体４の一側（矢印Ｚ１側）に設けた取付部４Ａと、蓋体５の一側に取付けた取付部５Ａとがヒンジ５４を介して回動自在に結合されている。ヒンジ５４は連結ピンであり、取付部４Ａと取付部５Ａに共通して設けられた水平方向（矢印Ｘ１−Ｘ２方向）のピン孔にヒンジ５４が挿通されて、蓋体５の開閉動作が可能になる。
【００１７】
栓本体４と蓋体５には、一端が栓本体４に係止され、他端が蓋体５に係止される弾性体を連結して、弾性体により蓋体５が開方向に付勢される構成としても良い。
【００１８】
栓本体４と蓋体５との間には、飲み口部材３０が介在されている。飲み口部材３０は、上部３０Ａが飲用者が口に含むのに適した太さで蓋体５に覆われる高さの略円筒状に突設されており、下部３０Ｂは栓体３の内周面に装着可能に上部３０Ａより小径の略円筒状に形成されている。上部３０Ａは、片側（矢印Ｚ２側）の側壁を他側（矢印Ｚ１側）の側壁より高く形成して飲料を注ぎやすくしている。上部３０Ａと下部３０Ｂの間にはフランジ部３０Ｃが形成されており、フランジ部３０Ｃは栓本体４の上面部に載置されて、栓本体４に着脱可能に取付けられている。図示することは省略したが、下部３０Ｂの下縁にはパッキンなどが取付けられて良い。
【００１９】
栓体３のヒンジ５４と径方向に対向する位置である他端側（矢印Ｚ２側）には、蓋体５を係合して閉状態に保持するロック機構７が設けられている。次にロック機構７の具体的な構成について説明する。
【００２０】
（ロック機構）
ロック機構７は、先ず栓本体４に設けられる部材と、蓋体５に設けられる部材とで構成されている。先ず、栓本体４に設けられるロック機構７の構成から説明する。
【００２１】
栓本体４の他端側（矢印Ｚ２側）の外壁面には、左右一対の支持片４０と、左右一対の支持片４０の間に配置される開閉ボタン７０と、左右の一対の支持片４０の外側面に配置される略Ｕ字形状のロック部材８０とが設けられている。
【００２２】
左右一対の支持片４０は、栓本体４の他端側（矢印Ｚ２側）の外壁面に一定の間隔を空けて設けられている。支持片４０は飲料用容器１の軸線と平行する方向に延在する縦片であり、下端部がＲ形状に湾曲して良い。また、支持片４０の上部には、前記したヒンジ５４と平行に配置される接合軸７８を挿通する貫通孔４１が設けられている。左右の支持片４０のうち右側（矢印Ｘ２側）の支持片４０Ｒの外側面にはカム受部４２が設けられている（図４、図５Ｂ参照）。カム受部４２は、貫通孔４１を挟んで対峙する略三角形状の凹み部であり、貫通孔４１（及び接合軸７８）の中心を通る軸線Ｊ１が鉛直線Ｊ２に対して６０°傾斜する位置に形成されている（図５Ｂ参照）。これは、対応する部材を６０°の位置で嵌合して固定できることを意味する。本実施形態において「対応する部材」は、後述するアーム部８１である。これは、詳しくは後述するが、後述のロック誘導材９０がロック受部５１に押し下げ可能な位置で開方向への回動が規制されるようにするための構成である。
【００２３】
開閉ボタン７０は、貫通孔７０ａに挿通される接合軸７８に軸支され、上下端部が可動するシーソー式であり、栓本体４の内外方向（矢印Ｚ１−Ｚ２方向）に進退可能に取り付けられている。上部には蓋体５に設けられた係合片５０と着脱可能に係合する係合部７１を有している（図２参照）。開閉ボタン７０の下方位置には、略円形のボタン操作部７２が設けられている。ボタン操作部７２の裏面側（矢印Ｚ１側）には、復帰用弾性体であるスプリング材７３が収納されている。このスプリング材７３により係合部７１が常時蓋体５のロック状態方向（矢印Ｚ１方向）に付勢される。したがって、利用者が開閉ボタン７０のボタン操作部７２を押圧すると、スプリング材７３により下端部が矢印Ｚ１方向へ押し込まれ、シーソーの原理で上端部の係合部７１が矢印Ｚ２方向に移動することで蓋体５の係合片５０との係合が解除され、蓋体５が開く（開放される）。
【００２４】
ロック部材８０は、左右のアーム部８１と、当該アーム部８１を連結する連結部８２が正面視が逆Ｕ字形状となるように形成されている。ロック部材８０は、接合軸７８により左右の支持片４０の外面に回動可能に軸支される。左右のアーム部８１の内側面には、接合軸７８の両端部を支持する円形の支持部８１Ａ（凹み部）が設けられ、当該支持部８１Ａの近傍位置にカム部８１Ｂが設けられている。
【００２５】
カム部８１Ｂは、支持部８１Ａを挟んで対峙する略三角形状の凸部であり、支持部８１Ａの中心を通る軸線Ｊ３が鉛直線Ｊ４に対して９０°（直交する角度）となる位置に形成されている（図５Ｂ参照）。
【００２６】
上記構成のロック部材８０の左側（矢印Ｘ１側）のアーム部８１Ｌにおいて、左側の支持片４０Ｌと当該アーム部８１Ｌの内側面との間には、接合軸７８により軸支されて回動可能なロック誘導材９０が配置される。
【００２７】
ロック誘導材９０は、接合軸７８を挿通可能な貫通孔９１Ａを有する基部９１と、基部９１から栓本体４の内方に向かって延在する突起部９２とを有している。
【００２８】
基部９１は、外側（矢印Ｘ１側）面にカム受部９１Ｂと摺動面部９１Ｃが設けられている。カム受部９１Ｂは、貫通孔９１Ａを挟んで対峙する略三角形状の凹み部であり、貫通孔９１Ａの中心を通る軸線Ｊ５が鉛直線Ｊ６に対して９０°となる位置に形成されている（図５Ａ参照）。摺動面部９１Ｃは、左側（矢印Ｘ１側）のアーム部８１Ｌのカム部８１Ｂがカム受部９１Ｂから脱出した後に摺動移動する平坦面である。
【００２９】
突起部９２の先端は、栓本体４の他端側（矢印Ｚ２側）の上縁部に設けられた切欠き部４３に収納される構成とされている。切欠き部４３は支持片４０Ｌの外側近傍位置に設けられており、その深さは突起部９２の上下方向（矢印Ｙ１−Ｙ２方向）の高さと略同じにされている。上記構成の切欠き部４３に収納された突起部９２の直上位置には、後述する蓋体５の他端側（矢印Ｚ２側）の外周壁に設けられるロック受部５１が配置（載置）される。
【００３０】
ロック誘導材９０は、接合軸７８に取付けられた捻じりばね１００と連結されている。捻じりばね１００は、左右のアーム部１０１と、挿通孔を形成する巻き部１０２とを有しており、当該巻き部１０２により形成された挿通孔に接合軸７８が挿通される。捻じりばね１００とロック誘導材９０との連結は、ロック誘導材９０の内側（矢印Ｘ２側）面に設けられたばね受け部９１Ｄ内に、捻じりばね１００の巻き部１０２が嵌合されることで実施できる。上記構成の捻じりばね１００はロック誘導材９０に対して開方向への付勢力を常時付与できるようにアーム部１０１の位置決めがなされている。
【００３１】
したがって、蓋体５が閉時のときは、ロック誘導材９０の直上位置にロック受部５１が載っているため、接合軸７８を軸に開方向へ回動することが規制されている。しかし、蓋体５が開放されると、直ちにロック誘導材９０は開方向へ回動する。
【００３２】
次に、蓋体５に設けられるロック機構７の構成を説明する。
蓋体５の他端側（矢印Ｚ２側）の外壁面には、ロック部材８０の連結部８２を掛け止め（嵌合）可能なロック受部５１が設けられている。ロック受部５１の外周形状は、連結部８２の内周形状と略同様にされており、本実施形態ではアーチ型形状に形成されている。ロック受部５１の下端面（矢印Ｙ２端面）には、前記した開閉ボタン７０の上部を内方可能に凹部が設けられている。また、細示することは省略したが凹部内に、前記した係合片５０が水平方向（矢印Ｘ１−Ｘ２方向）に取付けられている（図２参照）。
【００３３】
上記構成とされたロック付き飲料用容器の栓体３は、蓋体５への閉動作によりロック部材８０が自動的にロック受部５１へ掛け止められてロックできる。具体的な動作手順は後述する。  
（トルク関係）
次に、（１）蓋体５の開動作に連動してロック誘導材９０が所定の位置へ移動することを可能にするトルク関係と、（２）蓋体５の閉動作に連動してロック部材８０がロック受部５１へ掛け止める動作を可能にするトルク関係について説明する。
【００３４】
（１）を可能にするためには、「捻じりばね１００が有する付勢力（トルク力）が、左側のアーム部８１Ｌのカム部８１Ｂとロック誘導材９０の摺動面部９１Ｃとが有する摺動トルクより大きいこと（以下、（Ｔ１）と略す）」が肝要である。ここで「摺動トルク」とは、カム部８１Ｂがカム受部９１Ｂを脱出し摺動面部９１Ｃへ乗り上げた状態（離脱後）における摺動時のトルクを指す。
【００３５】
（２）を可能にするためには、「左側のアーム部８１Ｌのカム部８１Ｂとロック誘導材９０のカム受部９１Ｂとが有する脱出トルクが、右側のアーム部８１Ｒのカム部８１Ｂと右側の支持片４０Ｒのカム受部４２とが有する脱出トルクより大きいこと（以下、（Ｔ２）と略す。）」が肝要である。ここで「脱出トルク」とは、カム部８１Ｂとカム受部４２及び９１Ｂ同士が噛み合った（嵌合）状態からカム部８１Ｂがカム受部４２、９１Ｂを脱出する（離脱）際のトルクを指す。
【００３６】
上記（Ｔ１）のトルク関係によって、蓋体５の開動作が良好に動作し、上記（Ｔ２）のトルク関係によって、蓋体５の閉動作によるロック動作の連動が良好に動作する。以下、その点を踏まえて、図６〜図８に示すロック付き飲料用容器の栓体の動作を説明する。
【００３７】
＜動作＞
図６（Ａ）〜（Ｅ）は、本発明の実施形態に係るロック付き飲料用容器の栓体の動作を説明するための斜視図を示した。図７（Ａ）〜（Ｅ）は、本発明の実施形態に係るロック付き飲料用容器の栓体の動作を説明するための一側から見た断面図を示した。図８（Ａ）〜（Ｅ）は、本発明の実施形態に係るロック付き飲料用容器の栓体の動作を説明するための他側から見た断面図を示した。図７は図６（Ａ）の矢印Ｘ１側から見たＩＩ−ＩＩ矢視断面図を示し、図８は図６（Ａ）の矢印Ｘ２側から見たＩＩＩ−ＩＩＩ矢視断面図を示している。因みに、図６〜図８において各（Ａ）〜（Ｅ）はすべて対応した動作状態として示した。即ち（Ａ）は、蓋体５が閉まっており且つロック部材８０によりロックされている通常状態を示している。（Ｂ）、（Ｃ）は、蓋体５の開動作における各部の動作状態を示している。（Ｄ）、（Ｅ）は、蓋体５の閉動作における各部の動作状態を示している。因みに（Ａ）と（Ｅ）は基本的には同じであるが、本実施形態では動作流れの関係上、双方を図示した。
【００３８】
（通常状態）
本実施形態に係るロック付き飲料用容器の栓体３は、図６（Ａ）に示す通常状態において、左側のアーム部８１Ｌのカム部８１Ｂはロック誘導材９０のカム受部９１Ｂと嵌合された状態である（図７（Ａ）参照）。一方、右側のアーム部８１Ｒのカム部８１Ｂは右側の支持片４０Ｒのカム受部４２と嵌合されていない（噛み合っていない）状態である（図８（Ａ）参照）。右側のアーム部８１Ｒのカム部８１Ｂが、カム受部４２と嵌合されないのは、前述したようにカム受部４２が６０°傾斜した位置に形成されているからである。
【００３９】
（開動作）
次に、蓋体５の開動作における各部材の動作状態について、図６〜図８の各（Ｂ）、（Ｃ）から説明する。ロックされている蓋体５を開くために、利用者は先ずロック部材８０を接合軸７８を支点に開方向（下方）へ回動させてロック受部５１から掛け外す（各（Ｂ）参照）。因みにこのときロック部材８０の左側のアーム部８１Ｌは、カム部８１Ｂがロック誘導材９０のカム受部９１Ｂとの嵌合状態を解除して、摺動面部９１Ｃへ乗り上げた状態にある（図７（Ｂ）参照）。一方、右側のアーム部８１Ｒは、カム部８１Ｂが右側の支持片４０Ｒのカム受部４２と嵌合されて噛み合った状態となる（図８（Ｂ）参照）。つまり、支持片４０Ｒのカム受部４２は上記したように６０°傾斜する位置に形成されているため、ロック部材８０は６０°の角度位置で固定される。
【００４０】
次に、利用者が開閉ボタン７０を押して蓋体５がヒンジ５４により回動して開放すると、図６（Ｃ）に示すように、蓋体５のロック受部５１により移動を規制されていたロック誘導材９０が捻じりばね１００の付勢力（トルク力）によって開方向に回動する。このとき左側のアーム部８１Ｌのカム部８１Ｂとロック誘導材９０のカム受部９１Ｂとは嵌合して噛み合った状態となる（図７（Ｃ）参照）。このときロック誘導材９０は、６０°傾斜したロック部材８０に嵌合されるため、ロック受部５１に押し下げ可能な位置に位置決めされる。
【００４１】
上記各図（Ｃ）で説明した開動作を良好に行うには、上記したトルク関係（Ｔ１）が肝要である。即ち「捻じりばね１００の付勢力＞カム部８１Ｂと摺動面部９１Ｃの摺動トルク」が成立していないと、蓋体５が開放された直後にロック誘導材９０が付勢力により自動的に開方向（矢印Ｋ）に回動（起立）できない。
【００４２】
（閉動作）
次に、蓋体５の閉動作における各部の動作状態について、図６〜図８の各（Ｄ）、（Ｅ）から説明する。
【００４３】
利用者が飲料用容器１から飲料を得た後、蓋体５を閉める動作を行うと、各図（Ｄ）に示すように蓋体５はヒンジ５４により閉方向に回動し、ロック受部５１の下面が、起立しているロック誘導材９０の突起部９２に当たる。これは、ロック誘導材９０がロック受部５１に押し下げられる位置で、アーム部８１Ｌ（左側）のカム部８１Ｂとロック誘導材９０のカム受部９１Ｂとが嵌合されるように、アーム部８１Ｒ（右側）のカム部８１Ｂと支持片４０Ｒのカム受部４２の形状と位置が決定されているからである。また、前述の通り支持片４０Ｒのカム受部４２は、ロック部材８０を６０°の位置に位置決めする。即ち、６０°の位置に移動したロック部材８０にロック誘導材９０が嵌合されるため、ロック誘導材９０はロック受部５１と当接可能な位置に起立できる。
【００４４】
上記蓋体５がロック誘導材９０の突起部９２に当たった後、そのまま突起部９２の上面を押し下げると、各図（Ｅ）に示すように突起部９２に連動するロック部材８０が接合軸７８を支点に閉方向に回動して、蓋体５のロック受部５１に掛け止まる。つまり、元の位置に自動的に戻りロック部材８０による蓋体５のロックを行うことができる。
【００４５】
これは、ロック誘導材９０とロック部材８０が、各図（Ｃ）の蓋体５の開放状態の時に、左側のアーム部８１Ｌのカム部８１Ｂとロック誘導材９０のカム受部９１Ｂとが噛み合って、両者が連動して回動可能な状態となっているためである。
【００４６】
また、上記各図（Ｅ）で説明した閉動作、特にロック動作を行うためには、上記したトルク関係（Ｔ２）が肝要である。即ち、「アーム部８１Ｌのカム部８１Ｂとロック誘導材９０のカム受部９１Ｂの脱出トルク＞アーム部８１Ｒのカム部８１Ｂと支持片４０Ｒのカム受部４２の脱出トルク」が成立していないと、アーム部８１Ｒのカム部８１Ｂと支持片４０Ｒのカム受部４２とが脱出（離脱）せずに噛み合った状態を保持するため、ロック部材８０が閉方向に回動することができないからである。
【００４７】
上記のように本実施形態に係るロック付き飲料用容器の栓体は、少なくとも一方のアーム部には、支持片とアーム部の内側面との間に、接合軸により軸支されて回動可能なロック誘導材が配置される構成とした。このロック誘導材は、外側面に設けられたカム受部が一方のアーム部の内側面に設けられたカム部と嵌合されて両者が連動して回動可能に構成されている。また、ロック部材を開方向へ回動させて蓋体を開放したのち蓋体を閉める際、ロック受部が、ロック部材に連動して開方向へ移動したロック誘導材の上面を押し下げることで、ロック部材が連動して回動して連結部をロック受部へ嵌合させる構成とした。
【００４８】
つまり、利用者は蓋体を閉じる閉動作のみで、ロック部材が自動的に蓋体のロック受部に嵌合されてロックされる。したがって、従来利用者が手で行っていたロック動作を行う必要が無くなり、ロック部材によるロック動作の忘れを確実に防止することができる。また、蓋体を閉じる閉動作は、従来から非常に簡単な動作である。本実施形態に係るロック付き飲料用容器の栓体は、非常に簡単な閉動作のみでロックをならしめるので、操作性が高く、手の不自由な人であっても容易に使用することができ汎用性が高い。
【００４９】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００５０】
１      飲料用容器
２      容器本体
３      栓体
３０    飲み口部材
４      栓本体
４０    支持片
４１    貫通孔
４２    カム受部
４３    切欠き部
５      蓋体
５０    接合片
５１    ロック受部
５４    ヒンジ
７      ロック機構
７０    開閉ボタン
７１    係合部
７２    ボタン操作部
７３    スプリング材
７８    接合軸
８０    ロック部材
８１    アーム部
８１Ａ  支持部
８１Ｂ  カム部
８２    連結部
９０    ロック誘導材
９１    基部
９１Ａ  貫通孔
９１Ｂ  カム受部
９１Ｃ  摺動面部
９１Ｄ  ばね受け部
９２    突起部
１００  捻じりばね
１０１  アーム部
１０２  巻き部
【図１】
2017036058.tif 000003
【図２】
2017036058.tif 000004
【図３】
2017036058.tif 000005
【図４】
2017036058.tif 000006
【図５】
2017036058.tif 000007
【図６】
2017036058.tif 000008
【図７】
2017036058.tif 000009
【図８】
2017036058.tif 000010